(57)【要約】  無線ビデオ領域ネットワーク内でチャンネルを設定する方法及びシステムが提供される。チャンネルを設定するステップは、可用ＨＲ及びＬＲチャンネルをスキャンするステップ、可用チャンネルのうち、他のネットワークと最小限の干渉を有するチャンネルを選択するステップ、選択されたチャンネルがリスニング期間の間に続けて可用であるか否かを決定するステップ、選択されたチャンネルが続けて可用である場合、選択されたチャンネルに通信を開始するステップを含む。選択されたチャンネルは、ＨＲチャンネル及び対応するＬＲチャンネルである。
2009538029.tif 000002
【特許請求の範囲】
【請求項１】
無線ビデオ領域ネットワーク内のチャンネル制御方法において、
可用チャンネルをスキャンするステップと、
前記可用チャンネルらから他のネットワークと最小限の干渉を有するチャンネルを選択するステップと、
前記選択されたチャンネルがリスニング期間の間に続けて可用であるか否かを決定し、前記選択されたチャンネルが可用である場合、前記選択されたチャンネルに通信を開始するステップと、を含むことを特徴とするチャンネル制御方法。
【請求項２】
前記可用チャンネルは、ＨＲ（Ｈｉｇｈ−Ｒａｔｅ）周波数チャンネル及びＬＲ（Ｌｏｗ−Ｒａｔｅ）周波数チャンネルを含み、一般周波数帯域内にｍＨＲチャンネルが定義され、ｎＬＲチャンネルが前記ＨＲチャンネルと同じ周波数帯域内で定義され、それぞれのＨＲチャンネル内にｎＬＲチャンネルが定義されるようにすることを特徴とする請求項１に記載のチャンネル制御方法。
【請求項３】
前記可用チャンネルをスキャンするステップは、それぞれのＬＲチャンネルに対してＬＲピークエネルギー検出値を決定するために、所定の時間にそれぞれのＬＲチャンネルに対してエネルギー検出を行うことによって、前記ＬＲチャンネルを先にスキャンするステップを含むことを特徴とする請求項２に記載のチャンネル制御方法。
【請求項４】
前記可用チャンネルをスキャンするステップは、ＨＲチャンネル内の全てのＬＲチャンネルが明示されたＬＲ干渉臨界値より小さいＬＲピークエネルギー検出値を有する前記ＨＲチャンネルを選択的にスキャンするステップをさらに含むことを特徴とする請求項３に記載のチャンネル制御方法。
【請求項５】
それぞれのＨＲチャンネルは、前記ＨＲチャンネルに対してＨＲ周波数帯域を定義する開始周波数及び終了周波数を有し、
それぞれのＬＲチャンネルは、対応するＨＲ周波数帯域内で、ＬＲ周波数帯域を定義する開始周波数及び終了周波数を有し、
前記ＨＲチャンネルを選択的にスキャンするステップは、前記ＨＲチャンネルに対してＨＲピークエネルギー検出値を決定するために、前記ＨＲチャンネル内で前記ＬＲ周波数帯域に相応する周波数の増加によって、それぞれのＨＲチャンネルに対してエネルギー検出を行うステップをさらに含むことを特徴とする請求項４に記載のチャンネル制御方法。
【請求項６】
前記可用チャンネルでチャンネルを選択するステップは、全てのスキャンされたＨＲＰチャンネルのうち、最小ＨＲＰピークエネルギー検出値を有するＨＲチャンネルを選択するステップをさらに含むことを特徴とする請求項５に記載のチャンネル制御方法。
【請求項７】
前記最小ＨＲＰピークエネルギー検出値は、ＨＲＰ干渉臨界値より小さいことを特徴とする請求項６に記載のチャンネル制御方法。
【請求項８】
前記可用チャンネルからチャンネルを選択するステップは、前記選択されたＨＲＰチャンネル内の前記ＬＲＰチャンネルのうち、最小ＬＲＰピークエネルギー検出値を有するＬＲＰチャンネルを選択するステップをさらに含むことを特徴とする請求項６に記載のチャンネル制御方法。
【請求項９】
ＬＲＰチャンネルに対してエネルギー検出を行うステップは、全方向モードの前記チャンネルでエネルギー検出を行うステップを含むことを特徴とする請求項２に記載のチャンネル制御方法。
【請求項１０】
ＬＲＰチャンネルでエネルギー検出を行うステップは、全方向エネルギー検出をエミュレートするために、他の方向に前記チャンネルに対してエネルギー検出を行うステップを含むことを特徴とする請求項９に記載のチャンネル制御方法。
【請求項１１】
前記一般周波数帯域は、５７ないし６６ＧＨｚを含み、それぞれのＬＲＰチャンネルは、８０ＭＨｚ帯域を含み、前記ＬＲＰチャンネルは、１２０ＭＨｚ帯域によって区分され、前記ＬＲＰチャンネルの中心周波数は、２００ＭＨｚ帯域によって区分されることを特徴とする請求項２に記載のチャンネル制御方法。
【請求項１２】
ブロードキャストビーコン内にシャットダウン案内を位置させることによって、前記チャンネルをシャットダウンするステップをさらに含むことを特徴とする請求項１に記載のチャンネル制御方法。
【請求項１３】
前記チャンネルに通信するステップは、前記チャンネルタイムをビーコンによって区分されるスーパーフレームに分けることによってチャンネル接近を制御するステップと、それぞれのスーパーフレームが一つ以上の予約されたチャンネルタイムブロック及び一つ以上の予約されていないチャンネルタイムブロックを有するチャンネルタイムブロックを含むとき、前記予約されたチャンネルタイムブロックの間に前記チャンネルにパケットを通信するステップと、を含むことを特徴とする請求項１に記載のチャンネル制御方法。
【請求項１４】
前記リスニング期間は、スーパーフレーム期間を含むことを特徴とする請求項１に記載のチャンネル制御方法。
【請求項１５】
それぞれのＬＲＰチャンネルに対してエネルギー検出を行うステップは、スーパーフレーム期間より長いリスニング期間に、エネルギー検出を行うステップを含むことを特徴とする請求項１４に記載のチャンネル制御方法。
【請求項１６】
一般周波数帯域内で複数のＨＲチャンネルが定義され、複数のＬＲチャンネルが前記ＨＲチャンネルと同じ周波数帯域内で定義されるように、前記可用チャンネルは、ＨＲ周波数チャンネル及びＬＲ周波数チャンネルを含むことを特徴とする請求項１に記載のチャンネル制御方法。
【請求項１７】
無線ビデオ領域ネットワーク内のチャンネル制御調整子において、
可用チャンネルをスキャンするように構成されたスキャニングモジュールと、
前記可用チャンネルから他のネットワークと最小限の干渉を有するチャンネルを選択するように構成された選択モジュールと、
前記選択されたチャンネルがリスニング期間の間に続けて可用である場合、前記選択されたチャンネルで通信を開始する通信モジュールと、を含むことを特徴とするチャンネル制御調整子。
【請求項１８】
前記可用チャンネルは、ＨＲ周波数チャンネル及びＬＲ周波数チャンネルを含み、一般周波数帯域内にｍＨＲチャンネルが定義され、ｎＬＲチャンネルが前記ＨＲチャンネルと同じ周波数帯域内で定義され、それぞれのＨＲチャンネル内にｎＬＲチャンネルが定義されるようにすることを特徴とする請求項１７に記載のチャンネル制御調整子。
【請求項１９】
前記スキャンモジュールは、それぞれのＬＲチャンネルに対してＬＲピークエネルギー検出値を決定するために、所定の時間にそれぞれのＬＲチャンネルに対してエネルギー検出を行うことによって、まず前記ＬＲチャンネルをスキャンするようにさらに構成されたことを特徴とする請求項１８に記載のチャンネル制御調整子。
【請求項２０】
前記スキャンモジュールは、ＨＲチャンネル内のすべてのＬＲチャンネルが明示されたＬＲ干渉臨界値より小さいＬＲピークエネルギー検出値を有する前記ＨＲチャンネルを選択的にスキャンするようにさらに構成されたことを特徴とする請求項１９に記載のチャンネル制御調整子。
【請求項２１】
それぞれのＨＲチャンネルは、前記ＨＲチャンネルに対してＨＲ周波数帯域を定義する開始周波数及び終了周波数を有し、
それぞれのＬＲチャンネルは、対応するＨＲ周波数帯域内でＬＲ周波数帯域を定義する開始周波数及び終了周波数を有し、
前記スキャニングモジュールは、前記ＨＲチャンネルに対してＨＲピークエネルギー検出値を決定するために、前記ＨＲチャンネル内で前記ＬＲ周波数帯域に相応する周波数の増加によって、それぞれのＨＲチャンネルに対してエネルギー検出を行うようにさらに構成されたことを特徴とする請求項２０に記載のチャンネル制御調整子。
【請求項２２】
前記選択モジュールは、全てのスキャンされたＨＲチャンネルのうち、最小ＨＲピークエネルギー検出値を有するＨＲチャンネルを選択するようにさらに構成されたことを特徴とする請求項２１に記載のチャンネル制御調整子。
【請求項２３】
前記最小ＨＲピークエネルギー検出値は、ＨＲ干渉臨界値より小さいことを特徴とする請求項２２に記載のチャンネル制御調整子。
【請求項２４】
前記選択モジュールは、前記選択されたＨＲチャンネル内の前記ＬＲチャンネルのうち、最小ＬＲピークエネルギー検出値を有するＬＲチャンネルを選択するようにさらに構成されたことを特徴とする請求項２２に記載のチャンネル制御調整子。
【請求項２５】
前記スキャンモジュールは、全方向モードのＬＲチャンネルでエネルギー検出を行うようにさらに構成されたことを特徴とする請求項１８に記載のチャンネル制御調整子。
【請求項２６】
前記スキャンモジュールは、全方向エネルギー検出をエミュレートするために、他の方向にＬＲチャンネルでエネルギー検出を行うようにさらに構成されたことを特徴とする請求項２５に記載のチャンネル制御調整子。
【請求項２７】
前記一般周波数帯域は、５７ないし６６ＧＨｚを含み、それぞれのＬＲチャンネルは、８０ＭＨｚ帯域を含み、前記ＬＲチャンネルは、１２０ＭＨｚ帯域によって区分され、前記ＬＲチャンネルの中心周波数は、２００ＭＨｚ帯域によって区分されることを特徴とする請求項１８に記載のチャンネル制御調整子。
【請求項２８】
前記通信モジュールは、ブロードキャストビーコン内にシャットダウン案内を位置させることによって、前記チャンネルをシャットダウンするようにさらに構成されたことを特徴とする請求項１８に記載のチャンネル制御調整子。
【請求項２９】
前記通信モジュールは、前記ＨＲチャンネル及び前記選択されたチャンネルに対する前記チャンネルタイムをビーコンによって区分されるスーパーフレームに分け、それぞれのスーパーフレームは、一つ以上の予約されたチャンネルタイムブロック及び一つ以上の予約されていないチャンネルタイムブロックを含むとき、前記予約されたチャンネルタイムブロックの間に前記チャンネルにパケットを通信するようにさらに構成されたことを特徴とする請求項１７に記載のチャンネル制御調整子。
【請求項３０】
前記リスニング期間は、スーパーフレーム期間を含むことを特徴とする請求項２９に記載のチャンネル制御調整子。
【請求項３１】
前記スキャニングモジュールは、スーパーフレーム期間より長い期間、ＬＲチャンネルでエネルギー検出を行うようにさらに構成されたことを特徴とする請求項３０に記載のチャンネル制御調整子。
【請求項３２】
一般周波数帯域内で複数のＨＲチャンネルが定義され、複数のＬＲチャンネルが前記ＨＲチャンネルと同じ周波数帯域内で定義されるように、前記可用チャンネルは、ＨＲ周波数チャンネル及びＬＲ周波数チャンネルを含むことを特徴とする請求項１７に記載のチャンネル制御調整子。
【発明の詳細な説明】
【技術分野】
【０００１】
本発明は、チャンネル制御に係り、さらに詳細には、無線ビデオ領域ネットワーク（Ｗｉｒｅｌｅｓｓ  Ｖｉｄｅｏ  Ａｒｅａ  Ｎｅｔｗｏｒｋ：ＷＶＡＮ）内でのチャンネル制御に関する。
【背景技術】
【０００２】
高画質ビデオが急増するにつれて、増加する電子製品（例、家電装置）が高鮮明度（Ｈｉｇｈ  Ｄｅｆｉｎｉｔｉｏｎ：以下、ＨＤ）ビデオを利用する。ＨＤビデオは、伝送時に帯域幅として数Ｇｂｐｓ（Ｇｉｇａ  ｂｉｔｓ  ｐｅｒ  ｓｅｃｏｎｄ）の送信帯域幅を要求する。
【０００３】
したがって、デバイスの間にＨＤビデオを伝送するとき、伝統的な伝送法は、要求される伝送帯域幅を狭めるように、ＨＤビデオを圧縮してサイズを縮めた。圧縮されたビデオは、以後使われるために復元される。しかし、ビデオデータのそれぞれの圧縮と以後の復元とを通じて、ビデオ情報の一部が失われ、かつ画質が低下しうる。
【０００４】
高鮮明マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ：ＨＤＭＩ）標準は、ケーブルを通じて、デバイス間の非圧縮ＨＤ信号を伝送可能にする。家電メーカは、ＨＤＭＩと互換可能な装備を提供し始めているが、非圧縮ＨＤビデオ信号を伝送できる適当な無線（例：無線周波数）技術は、まだ無い実情である。
【０００５】
ＯＳＩ標準は、異なるシステムが通信できるように、最終ユーザと物理デバイスとの間に７階層の階層構造を提供する。それぞれの階層は、異なる業務を担当しており、ＯＳＩ標準は、階層間及び標準によるデバイス間の相互作用を記述する。ＯＳＩ標準は、物理階層、データリンク階層、ネットワーク階層、伝送階層、セッション階層、表現階層及び応用階層を含む。ＩＥＥＥ  ８０２標準は、ローカルネットワークのための３階層構造を提供するが、これは、ＯＳＩ標準の物理階層及びデータリンク階層と類似している。ＩＥＥＥ  ８０２標準２００内の３階層構造は、物理階層、ＭＡＣ（Ｍｅｄｉａ  Ａｃｃｅｓｓ  Ｃｏｎｔｒｏｌ）階層及びＬＬＣ（Ｌｏｇｉｃａｌ  Ｌｉｎｋ  Ｃｏｎｔｒｏｌ）階層を含む。物理階層は、ＯＳＩ標準での物理階層のような機能を行う。ＭＡＣ及びＬＬＣ階層は、ＯＳＩ標準のデータリンク階層の機能を共有する。ＬＬＣ階層は、データを物理階層で通信できるフレームに分け、ＭＡＣ階層は、データフレームを送信してＡＣＫ（Ａｃｋｎｏｗｌｅｄｇｅｍｅｎｔ）フレームを受信してデータリンク上で通信を管理する。ＭＡＣ及びＬＬＣ階層は、受信及び受信確認されていないフレームの再伝送及びエラーを確認する責任がある。
【０００６】
非圧縮ＨＤ信号を受容すべき帯域幅を有することができず、６０ＧＨｚ帯域で非圧縮ビデオを送信するほど十分な帯域幅を揃えた無線インターフェースを提供できないＩＥＥＥ  ８０２標準で定義されたＷＬＡＮ（Ｗｉｒｅｌｅｓｓ  Ｌｏｃａｌ  Ａｒｅａ  Ｎｅｔｗｏｒｋｓ）及び類似技術は、いくつかのデバイスが連結された時に干渉問題が生じうる。ＩＥＥＥ  ８０２.１５.３は、ＷＰＡＮ（Ｗｉｒｅｌｅｓｓ  Ｐｅｒｓｏｎａｌ  Ａｒｅａ  Ｎｅｔｗｏｒｋ）上でオーディオビジュアル情報を伝送するためのチャンネル接近方法を明記する。しかし、ＩＥＥＥ  ８０２.１５.３のチャンネル接近制御は複雑であり、単一チャンネルに対する接近のみを記述する。また、ＩＥＥＥ  ８０２.１５.３で、ビーコンに伝送されるチャンネルタイム割当明細は、一つの圧縮Ａ／Ｖストリームに対して一つのスーパーフレームの一つのＣＴＢに制限される。しかし、非圧縮ビデオストリームに対して、一つのスーパーフレーム内で複数のＣＴＢが遅延及びバッファ要求事項を満足させる必要がある。したがって、前記短所のある無線通信網において、チャンネルを設定して制御するための方法及びシステムに対する必要性がある。
【発明の開示】
【発明が解決しようとする課題】
【０００７】
本発明は、無線ビデオ領域ネットワーク内でチャンネルを設定する方法及びシステムを提供することを目的とする。
【課題を解決するための手段】
【０００８】
一実施例で、チャンネル設定は、可用チャンネルをスキャンし、可用チャンネルから他のネットワークと最小限の干渉を有するチャンネルを選択し、該選択されたチャンネルがリスニング区間の間に可用状態に維持されるか否かを決定し、選択されたチャンネルが可用状態に維持されれば、選択されたチャンネルで通信を開始するステップを含む。
【０００９】
可用チャンネルは、ＨＲ（Ｈｉｇｈ−Ｒａｔｅ）周波数チャンネル及びＬＲ（Ｌｏｗ−Ｒａｔｅ）周波数チャンネルを含み、ｍ個のＨＲチャンネルは、一般周波数帯域内でＨＲＰ（Ｈｉｇｈ  Ｒａｔｅ  ＰＨＹ）チャンネルと定義され、ｎ個のＬＲチャンネルは、ＨＲＰと同じ周波数帯域内でＬＲＰ（Ｌｏｗ  Ｒａｔｅ  ＰＨＹ）チャンネルと定義され、それぞれのＨＲＰチャンネル内でｎ個のＬＲＰチャンネルが定義される。
【００１０】
可用チャンネルをスキャンするステップは、それぞれのＬＲＰチャンネルに対してＬＲＰピークエネルギー検出値を決定するために、所定の時間にそれぞれのＬＲＰチャンネルに対してエネルギー検出を行うことによって、まずＬＲＰチャンネルをスキャンするステップを含む。可用チャンネルをスキャンするステップは、全てのＬＲＰチャンネルが明示されたＬＲＰ干渉臨界値より小さいＬＲＰピークエネルギー検出値を有する範囲で、ＨＲＰチャンネルを選択的にスキャンするステップを含む。
【００１１】
それぞれのＨＲＰチャンネルは、ＨＲＰ周波数帯域を定義する開始周波数及び終了周波数を有し、それぞれのＬＲＰチャンネルは、対応するＨＲＰ周波数帯域内でＬＲＰ周波数帯域を定義する開始周波数及び終了周波数を有する。ＨＲＰチャンネルを選択的にスキャンするステップは、スキャンされるＨＲＰチャンネルに対してＨＲＰピークエネルギー検出値を決定するために、ＨＲＰチャンネル内でＬＲＰ周波数帯域に相応する周波数増加によってエネルギー検出を行うステップをさらに含む。可用チャンネルでチャンネルを選択するステップは、全てのスキャンされたＨＲＰチャンネルのうち、最小ＨＲＰピークエネルギー検出値を有するＨＲＰチャンネルを選択するステップをさらに含む。最小ＨＲＰピークエネルギー検出値は、ＨＲＰ干渉臨界値より小さい。可用チャンネルでチャンネルを選択するステップは、選択されたＨＲＰチャンネル内で、ＬＲＰチャンネルのうち、最小ＬＲＰピークエネルギー検出値を有するＬＲＰチャンネルを選択するステップをさらに含む。
【００１２】
次いで、ＨＲチャンネルは設定され、ＨＲチャンネルへの接近及び選択されたチャンネルは、ビーコンによって分離されるスーパーフレームにチャンネルタイムを分け、予約されたチャンネルタイム・ブロック（ＣＴＢ：Ｃｈａｎｎｅｌ  Ｔｉｍｅ  Ｂｌｏｃｋｓ）の間にチャンネルにパケットを通信することによって制御されるが、それぞれのスーパーフレームは、一つ以上の予約されたＣＴＢ及び一つ以上の予約されていないＣＴＢを有するＣＴＢを含む。
【００１３】
本発明のかかる特徴、側面及び利点は、後述する実施例、及び請求項及び添付した図面を参照すれば分かるであろう。
【発明の効果】
【００１４】
本発明による後述された例示構造は、プロセッサが行うプログラム命令、論理回路、カスタム型半導体（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）及びファームウェアなど多様な方式で具現される。本発明は、特定の好まれるバージョンについ非常に詳細に記述されるが、他のバージョンも可能である。したがって、請求項の思想及び範囲は、ここに含まれた前記好まれるバージョンの明細に制限されてはならない。
【発明を実施するための最良の形態】
【００１５】
本出願は、本明細書内で参照用として含まれ、２００６年５月１８日に出願された米国仮特許出願番号６０／８０１,７６７から優先権を主張する。
【００１６】
本発明は、無線ビデオ領域ネットワーク内でチャンネルを設定する方法及びシステムを提供する。一実施形態で、チャンネルを設定するステップは、可用チャンネルをスキャンするステップ、可用チャンネルのうち他のネットワークと最小限の干渉を有するチャンネルを選択するステップ、選択されたチャンネルがリスニング期間に続けて可用であるか否かを決定するステップ、選択されたチャンネルが続けて可用である場合、選択されたチャンネルに通信を開始するステップを含む。選択されたチャンネルは、ＬＲ（Ｌｏｗ  Ｒａｔｅ）チャンネルである。次いで、ＨＲ（Ｈｉｇｈ  Ｒａｔｅ）チャンネルが設定され、ＨＲチャンネルへの接近及び選択されたチャンネルは、チャンネルタイムをビーコンによって区分されるスーパーフレームに分け、それぞれのスーパーフレームが一つ以上の予約されたＣＴＢ（Ｃｈａｎｎｅｌ  Ｔｉｍｅ  Ｂｌｏｃｋ）及び一つ以上の予約されていないＣＴＢを有するＣＴＢを含む時、予約されたＣＴＢの間にチャンネルにパケットを通信することによって制御される。
【００１７】
図１は、本発明の実施例によって、無線ステーション間の非圧縮ＨＤ（Ｈｉｇｈ  Ｄｅｆｉｎｉｔｉｏｎ）ビデオを通信するための例示無線ネットワーク１０の機能ブロック図を示す。ネットワーク１０は、ＷｉＨＤ（Ｗｉｒｅｌｅｓｓ  ＨＤ）標準に基づくが、ＷｉＨＤ標準は、例えば、家電製品に対して６０ＧＨｚ周波数帯域で無線ＨＤデジタル信号伝送のための無線デジタルネットワークインターフェース規格を定義する産業界の努力である。ネットワーク１０は、ＷｉＨＤ調整子のような調整子１２及び複数の無線ステーション１４（例、デバイス１，…，デバイスＮ）を含む。調整子１２及びステーション１４は、相互間の通信のためにＬＲチャンネル１６（図１で点線）及びＨＲチャンネル１８（図１で、実線）を利用する。
【００１８】
一例として、調整子１２は、例えば、ＷＰＡＮ（Ｗｉｒｅｌｅｓｓ  Ｐｅｒｓｏｎａｌ  Ａｒｅａ  Ｎｅｔｗｏｒｋ）類型の無線ホームネットワーク環境でＨＤＴＶで具現されたビデオ及び／またはオーディオデータの受信源である。それぞれのステーション１４は、非圧縮ビデオまたはオーディオの送信源であるデバイスを含む。それぞれのステーションの例示１４は、セットトップボックス、ＤＶＤプレイヤでありうる。ステーション１４は、オーディオ受信源でありうる。他の例として、調整子１２は、ビデオストリームの送信源でありうる。さらに他の例として、調整子は、受信ステーションと送信ステーションとの無線通信のためのチャンネル調整機能を提供する。本発明によって、チャンネル接近機能のような調整子機能は、受信デバイス及び／または送信デバイス内に独立デバイスとして具現されることもある。デバイスは、セットトップボックスまたはＤＶＤプレイヤのような非圧縮ビデオまたはオーディオの送信源でありうる。デバイスは、オーディオ受信源でありうる。
【００１９】
調整子１２は、ステーション１４との通信のために、ＬＲチャンネル１６及びＨＲチャンネル１８を利用する。それぞれのステーション１４は、他のステーション１４との通信のために、ＬＲチャンネル１６を利用する。ＨＲチャンネル１８は、非圧縮ＨＤビデオ伝送を支援するために、例えば、数Ｇｂｐｓ帯域幅を有する一方向ユニキャスト伝送のみを支援する。ＬＲチャンネル１６は、せいぜい４０Ｍｂｐｓの処理率を有する双方向伝送を支援しうる。ＬＲチャンネル１６は、ＡＣＫフレームのような制御フレームの伝送に主に利用される。オーディオ及び圧縮ビデオのような低率データは、二つのステーション１４の間にＬＲチャンネルに直接伝送されうる。
【００２０】
ＨＲチャンネルは、非圧縮ＨＤビデオを支援するために、数Ｇｂｐｓの帯域幅を有する一方向ユニキャスト伝送のみを支援する。ＬＲチャンネルは、せいぜい４０Ｍｂｐｓの処理率を有する双方向伝送を支援しうる。ＬＲチャンネルは、ＡＣＫフレームのような制御フレームの伝送に主に使われる。オーディオ及び圧縮ビデオのような低率データも、二つのデバイスの間でＬＲチャンネルに直接伝送されうる。
【００２１】
図２の例示タイミング図に示されたように、ＴＤＤスケジュリングがＬＲチャンネル１６及びＨＲチャンネル１８に適用されるが、特定時点にＬＲチャンネル１６及びＨＲチャンネル１８が伝送のために並列的に使われない。図２の例示で、ＨＲチャンネルにデータ（例、ビデオ、オーディオ及び制御メッセージ）情報パケットを伝送するにあたって、ビーコン及びＡＣＫパケット／フレームがＬＲチャンネル１６に伝送される。ビーム形成技術がＬＲ及びＨＲチャンネルに何れも使われる。ＬＲチャンネルは、全方向伝送を支援しうる。ＨＲチャンネル及びＬＲチャンネルは、論理的なチャンネルである。
【００２２】
多くの無線通信システムで、送信機及び受信機のような無線ステーション間のデータ伝送のためにフレーム構造が使われる。例えば、ＩＥＥＥ  ８０２.１１標準は、ＭＡＣ階層とＰＨＹ階層とでフレーム構造を使用する。典型的な送信機で、ＭＡＣ階層は、ＭＡＣサービスデータユニット（ＭＡＣ  Ｓｅｒｖｉｃｅ  Ｄａｔａ  Ｕｎｉｔ：ＭＳＤＵ）を受けて、これにＭＡＣヘッダを付着させてＭＡＣプロトコルデータユニット（ＭＡＣ  Ｐｒｏｔｏｃｏｌ  Ｄａｔａ  Ｕｎｉｔ：ＭＰＤＵ）を作る。ＭＡＣヘッダは、送信源アドレス（Ｓｏｕｒｃｅ  Ａｄｄｒｅｓｓ：ＳＡ）及び受信源アドレス（Ｄｅｓｔｉｎａｔｉｏｎ  Ａｄｄｒｅｓｓ：ＤＡ）のような情報を含む。ＭＰＤＵは、ＰＨＹサービスデータユニット（ＰＨＹ  Ｓｅｒｖｉｃｅ  Ｄａｔａ  Ｕｎｉｔ：ＰＳＤＵ）の一部であって、ＰＨＹヘッダ（例、ＰＨＹプリアンブル）を付着させるためにトランスミッタ内からＰＨＹ階層に伝えられて、ＰＨＹプロトコルデータユニット（ＰＨＹ  Ｐｒｏｔｏｃｏｌ  Ｄａｔａ  Ｕｎｉｔ：ＰＰＤＵ）を構成する。ＰＨＹヘッダは、コーディング／変調方式を含む伝送方式を決定するためのパラメータを含む。送信機から受信機にパケットを伝送する前、ＰＰＤＵにプリアンブルが付くが、プリアンブルは、チャンネル予測及び同期化情報を含みうる。
【００２３】
無線ステーション（ＳＴＡ）が共有された無線通信チャンネルに接近する２つの方式がある。一つの方式は、非競争調整（Ｃｏｎｔｅｎｔｉｏｎ  Ｆｒｅｅ：ＣＦ）方法であり、他の方式は、競争基盤調整（Ｃｏｎｔｅｎｔｉｏｎ  Ｂａｓｅｄ：ＣＢ）である。ＣＦ期間の間に色々なチャンネル接近方法がある。例えば、ポイント調整機能（Ｐｏｉｎｔ  Ｃｏｏｒｄｉｎａｔｏｒ  Ｆｕｎｃｔｉｏｎ：ＰＣＦ）がチャンネル接近を制御するために利用される。ＰＣＦが設定されたとき、ＰＣＦは、通信のために登録されたステーションをポーリングし、ポーリング結果によって、ステーションに接近するチャンネルを提供する。ＣＢ接近方法は、チャンネル接近において、公正さを提供するためにランダムバックオフ期間を利用する。ＣＢ期間の間に、ステーションは、チャンネルをモニターし、チャンネルが予め定義された時間の間、休止状態にある場合、ステーションは所定の時間待ち、続けて休止状態にあるならば、ステーションは、前記チャンネルに伝送する。
【００２４】
調整子及び非調整子は、同じ帯域幅を共有するが、調整子は、前記帯域幅の共有を調整する。無線個人領域ネットワーク（Ｗｉｒｅｌｅｓｓ  Ｐｅｒｓｏｎａｌ  Ａｒｅａ  Ｎｅｔｗｏｒｋ：ＷＰＡＮ）環境で帯域幅を共有するためのプロトコルを設定するために標準が開発されてきた。前述したように、ＩＥＥＥ標準８０２.１５.３は、時間分割多重接近（Ｔｉｍｅ  Ｄｉｖｉｓｉｏｎ  Ｍｕｌｔｉｐｌｅ  Ａｃｃｅｓｓ：ＴＤＭＡ）状に帯域幅が共有される環境で、ＰＨＹ階層及びＭＡＣ階層のための標準を提供する。本発明によって、ＭＡＣ階層は、スーパーフレーム構造を定義するが、これを通じて非調整子デバイス１４による帯域幅共有が調整子１２及び／または非調整子デバイス１４によって管理される。
【００２５】
本発明によって、非競争期間内で、ＰＣＦポーリングの代わりに、時間スケジュリングが利用されるが、ビーコンがスケジュリングされたＣＴＢについての情報を提供する。本発明によって、無線チャンネルに非圧縮ビデオを伝送するためのスーパーフレーム基盤チャンネル接近制御は、図３Ａ及び図３Ｂの例示で示されたスーパーフレーム構造に基づいて適用される。
【００２６】
図３Ａは、一連のスーパーフレーム２０を示し、図３Ｂは、複数のスケジュール３０を含むＬＲ及びＨＲチャンネルに対するスーパーフレーム２０の詳細図を示す。それぞれのスケジュール３０は、等時性データストリームの伝送のために予約された一つ以上の周期的な予約されたＣＴＢ
３２を含む。図３Ｂで、Ｔ１は、スケジュール１に属する、二つの連続されたＣＴＢ間の間隔を表し、Ｔ２は、スケジュール２に属する二つの連続されたＣＴＢ間の間隔を表す。
【００２７】
スケジュール３０は、予約されたＣＴＢ３２を表し、スケジュール間の時間区間は、予約されていないＣＴＢである。したがって、それぞれのスーパーフレーム２０は、２つのＣＴＢ範疇、すなわち、予約されたＣＴＢ３２及び予約されていないＣＴＢを含む。前記スーパーフレーム２０は、無線チャンネル（例、ＨＲチャンネル１８及びＬＲチャンネル１６）に非圧縮ビデオを伝送するために、ＣＴＢを利用してチャンネル接近制御を行うのに有用である。ビーコンは、チャンネルタイムを複数のスーパーフレームの区分に利用する。それぞれのスーパーフレーム内で、競争区間及び非競争区間がある。それぞれの非競争区間内に、一つ以上のスケジュールがある。スーパーフレームは、競争基盤制御区間（Ｃｏｎｔｅｎｔｉｏｎ  Ｂａｓｅｄ  Ｃｏｎｔｒｏｌ  Ｐｅｒｉｏｄ：ＣＢＣＰ）及びＣＦＰを含むが、ＣＦＰは、複数の予約されたＣＴＢ（Ｒｅｓｅｒｖｅｄ  Ｃｈａｎｎｅｌ  Ｔｉｍｅ  Ｂｌｏｃｋｓ：ＲＣＴＢｓ）及び／または予約されていないＣＴＢ（Ｕｎｒｅｓｅｒｖｅｄ  Ｃｈａｎｎｅｌ  Ｔｉｍｅ  Ｂｌｏｃｋｓ：ＵＣＴＢｓ）を含む。特に、スーパーフレーム２０は、以下の事項を含む。
【００２８】
１．時間割当を設定し、ネットワーク１０（例、ＷｉＨＤサブネット）についての管理情報の通信に利用されるビーコンフレーム（ビーコン）２２。ビーコン信号は、常に全方向に伝送されると仮定される。
【００２９】
２．ＬＲチャンネルで家電命令（Ｃｏｎｓｕｍｅｒ  Ｅｌｅｃｔｒｏｎｉｃ  Ｃｏｍｍａｎｄｓ：ＣＥＣｓ）及びＭＡＣ制御及び管理命令を通信するのに使われるＣＢＣＰ  ２４。ＣＢＣＰ期間内では、いかなる情報もＨＲチャンネル１８に伝送されない。ＣＢＣＰ  ２４とＣＦＰ２８との間に伝送ビームを探索し、ビーム形成パラメータ（例、毎１ないし２秒に、ＢＳＰは、対応するスーパーフレーム２０に現れることができる）を調整するために、ビーム探索期間（Ｂｅａｍ  Ｓｅａｒｃｈ  Ｐｅｒｉｏｄ：ＢＳＰ）が存在しうる。
【００３０】
３．一つ以上の予約されたＣＴＢ３２及び一つ以上の予約されていないＣＴＢで構成されたＣＴＢを含むＣＦＰ  ２８。
【００３１】
予約されたＣＴＢ  ３２が命令、等時性ストリーム及び非同期データ連結の伝送のために、一つ以上のステーション１４によって予約される。予約されたＣＴＢ  ３２は、命令、等時性ストリーム及び非同期データ連結の伝送に使われる。それぞれの予約されたＣＴＢ  ３２は、単一あるいは複数のデータフレームの伝送に使われる。スケジュール３０が予約されたＣＴＢ  ３２を構成する。それぞれのスーパーフレーム２０で、スケジュール３０は、一つの予約されたＣＴＢ  ３２（例、予めスケジュールされたビーム探索または帯域幅予約信号のためのＣＴＢ）または複数の周期的に予約されたＣＴＢ  ３２（例、等時性ストリームのためのＣＴＢ）を有しうる。予約されていないＣＴＢ  ３７は、典型的にＬＲチャンネルへのＣＥＣ及びＭＡＣ制御及び管理命令の伝送に使われる。予約されていないＣＴＢ内でいかなるビーム形成伝送も許諾されない。予約されていないＣＴＢ  ３７も、直接リンク支援（Ｄｉｒｅｃｔ  Ｌｉｎｋ  Ｓｕｐｐｏｒｔ：ＤＬＳ）が許容されれば、デバイス１４間の制御及び管理パケットの伝送に使われる。予約されていないＣＴＢ  ３７の間、全方向モードで動作するＬＲチャンネルのみが利用されうる。予約されていないＣＴＢの間に、ＨＲチャンネルにいかなる情報も伝送されることがない。搬送波感知多重アクセス（Ｃａｒｒｉｅｒ  Ｓｅｎｓｅ  Ｍｕｌｔｉｐｌｅ  Ａｃｃｅｓｓ：ＣＳＭＡ）またはスロットアロハ方式のような他の競争基盤媒体接近方式が予約されていないＣＴＢ  ３７の間に利用されうる。
【００３２】
ビーコン２２は、全てのスーパーフレーム２０の開始を識別するために周期的に伝送される。スーパーフレーム２２及び他のパラメータの構成がビーコン２２内に含まれる。例えば、ビーコン２２は、ＣＢＣＰ  ２４及びＣＦＰ  ２８の長さ及び開始時間を表示する。また、ビーコン２２は、異なるステーション１４及びストリームに対して、ＣＦＰ  ２８内でＣＴＢの割当を指示する。デバイスが予約されていないＣＴＢのタイミング情報を暗黙的に知ることができるため、ビーコンフレームが予約されていないＣＴＢに対してタイミング情報を運搬する必要はない。
【００３３】
予約基盤の時間割当において、ビーム形成を利用したデータ伝送が先に予約されねばならない。デバイス１４は、等時性ストリーム及び非同期データを何れも伝送するために、調整子１２から送信帯域幅を要請する。十分な帯域幅がある場合、調整子１２は、要請するデバイスに対してスケジュールを割り当てる。それぞれのスケジュールは、同じ持続期間を有する均一に割当てられて予約された一連のＣＴＢ  ３２を含む。スケジュールは、複数の予約されたＣＴＢ  ３２またはスーパーフレーム２０内で、一つの予約されたＣＴＢ  ３２または全てのＮスーパーフレーム２０ごとに一つの予約されたＣＴＢ  ３２を含みうる。おおむね等時性ストリームは、各スーパーフレーム２０に対して一つのスケジュール内で伝送される。しかし、一つの等時性または非同期ストリームに対して、複数のスケジュールを割り当てることも可能である。同一デバイスに属する複数のストリームは、一つのスケジュール内で伝送されることもある。デバイスから目的地まで伝送されるそれぞれのデータパケット３１は、前記目的地から送信された、対応するＡＣＫパケット３３を有するが、それぞれのデータパケット３１及び対応するＡＣＫパケット３３は、データ−ＡＣＫ対を形成する。ＣＴＢ  ３２は、一つのデータ−ＡＣＫ対や複数のデータ−ＡＣＫ対を含みうる。
【００３４】
スケジュールが周期的なビーム探索のために予約されるが、この過程で一つの予約されたＣＴＢ  ３２が１ないし２秒ごとに現れる。周期的なビーム探索は、予約されていないＣＴＢ内で行われることもある。周期的なビーム探索だけでなく、イベント方式のビーム探索（例、動的ビーム探索）が欠陥のあるチャンネル状態のような要因によって誘発されうる。もし、イベント方式のビーム探索が他の予約されたスケジュールに影響を及ぼさずに具現されるためには、スケジュールのために予約されたＣＴＢ長（Ｔｒｅｓｅｒｖｅｄ＿ＣＴＢ）と予約されたＣＴＢの直後にくる予約されていないＣＴＢの長（Ｔｕｎ＿ｒｅｓｅｒｖｅｄ＿ＣＴＢ）とを合算した値がビーム探索期間Ｔｂｅａｍ−ｓｅａｒｃｈｉｎｇの長さより小さくてはならない（例、デフォルトで４００μs）。したがって、Ｔｒｅｓｅｒｖｅｄ＿ＣＴＢ＋Ｔｕｎ＿ｒｅｓｅｒｖｅｄ＿ＣＴＢ≧Ｔｂｅａｍ−ｓｅａｒｃｈｉｎｇ。
【００３５】
前記スーパーフレーム構造を利用した通信のためのＷＶＡＮを設定するために、調整子１２は、まずチャンネルを設定する。これは、可用チャンネル（例。隣りのネットワークによって使われないチャンネル）を決定するために可用周波数をスキャンするステップを含む。他のネットワークと最小限の干渉を有するチャンネルを探索するために、全てのＬＲチャンネルがスキャンされる。次いで、ＨＲチャンネルの周波数帯域が干渉に対してスキャンされ、最小限の干渉を有するチャンネルが選択される。
【００３６】
５７ないし６６ＧＨｚの周波数帯域で全体ｍチャンネルがＨＲ周波数に対するＨＲ  ＰＨＹ（ＨＲＰ）と定義される。領域制限のため、これらのチャンネルが何れも全ての地理的領域内で可用であるものではない。例えば、ｍ＝４である時、４個のチャンネルがＨＲＰチャンネルインデックスで索引される。これらのＨＲＰ周波数チャンネルは、下記の表１で定義される。
【００３７】
【表１】
2009538029.tif 000003
各ＨＲＰチャンネルは、開始周波数及び終了周波数（中心周波数と共に）を有し、これは、ＨＲＰ周波数帯域を定義する。
【００３８】
ＬＲ周波数に対するＬＲ  ＰＨＹ（ＬＲＰ）は、ＨＲＰと同じ周波数帯域を利用するが、各ＨＲＰチャンネル内で、ｎ個のＬＲＰチャンネルが定義される。一例として、ｎ＝３である場合、３個のＬＲチャンネルが４個のＨＲＰチャンネルのそれぞれに対して定義される。ＷＶＡＮによって１回に一つのＬＲＰチャンネルのみが使われる。これは、チャンネル干渉を最小化しつつ、複数のＷＶＡＮが直ぐ近くで同じＨＲＰ周波数チャンネルを使用せしめる。したがって、それぞれのＨＲＰチャンネル内で、３個のＬＲＰチャンネルがＨＲＰチャンネルの中心周波数の近くで定義される。ＬＲＰ周波数チャンネルは、ＬＲＰチャンネルインデックスで索引されて、下記の表２で定義される。
【００３９】
【表２】
2009538029.tif 000004
それぞれのＬＲＰチャンネルは、開始周波数及び終了周波数（中心周波数と共に）を有し、これは、ＬＲＰ周波数帯域を定義する。一例として、それぞれのＬＲＰ周波数帯域は、８０ＭＨｚ帯域であり、ＬＲＰチャンネルは、１２０ＭＨｚ帯域によって区分され、ＬＲＰチャンネルの中心周波数は、２００ＭＨｚによって区分される。
【００４０】
可用チャンネルを決定するために可用周波数をスキャンするステップは、スキャニング機能を利用して促進される。次いで、チャンネル選択機能によって可用チャンネルのうちからチャンネルが選択される。図４は、ＭＡＣ階層管理個体（ＭＡＣ  Ｌａｙｅｒ  Ｍａｎａｇｅｍｅｎｔ  Ｅｎｔｉｔｙ：ＭＬＭＥ）機能４８及びデバイス管理個体（Ｄｅｖｉｃｅ  Ｍａｎａｇｅｍｅｎｔ  Ｅｎｔｉｔｙ：ＤＭＥ）機能４６を含む例示管理個体４０を表す。ＭＬＭＥ機能４８は、可用チャンネルを選択し、チャンネルをスキャンし、チャンネルの設定において、調整子の動作を制御するようなＭＡＣ階層動作を管理する。ＤＭＥ機能４６は、スキャンするチャンネルに選択されたチャンネル上でエネルギー検出を行う。エネルギー検出は、チャンネル上で信号エネルギーを測定し、該測定された最大値を選択するステップを含む。調整子１２及び各デバイス１４は、管理個体４０を含む（例、調整子は、ＤＭＥ及びＭＬＭＥを何れも含み、それぞれのデバイスは、ＤＭＥ及びＭＬＭＥを何れも含む）。本発明によって、管理個体４０は、ＭＡＣ階層４２及びＰＨＹ階層４４に監督及び制御機能を提供し、上位階層４５とＭＡＣ階層４２との通信を促進する。下記のＭＬＭＥメッセージは、参照用として本明細に含まれたＩＥＥＥ  ８０２.１５.３標準（高率無線個人領域ネットワーク（ＷＰＡＮ）のための無線ＭＡＣ及び物理階層標準）によって定義される。ＭＬＭＥメッセージに対して応答するＤＭＥ及びＭＬＭＥ機能の動作は、本発明による。
【００４１】
ＷＶＡＮを設定するために、ＤＭＥ機能４６は、まずＭＬＭＥ−ＳＣＡＮ.ｒｅｑｕｅｓｔメッセージをＭＬＭＥ機能４８に送信してＨＲＰ及び対応するＬＲＰチャンネルの明示された集合をスキャンする。図５は、本発明によるメッセージのフロー及びスキャン演算５０の例示を示す。ＭＬＭＥ機能４８は、スキャン手順５２を行い、結果コードと共にチャンネル評価情報（例、ＣｈａｎｎｅｌＲａｔｉｎｇＬｉｓｔ）を含むＭＬＭＥ−ＳＣＡＮ.ｃｏｎｆｉｒｍメッセージをリターンする。チャンネル評価情報を利用して、ＤＭＥ機能４６は、ＷＶＡＮを開始するために最も干渉が少ないＨＲＰ及びＬＲＰチャンネルのうち一つのチャンネルを選択する。具体的に、ＤＭＥ機能４６は、全てのＨＲＰ及びＬＲＰチャンネルのうち、最小限の干渉を有するチャンネル選択を試み、前記干渉は、明示された臨界値より小さい（例、−５０ｄＢ）。次いで、ＤＭＥ機能４６は、前記選択されたチャンネル上に新たなＷＶＡＮ動作を開始し、これは、以下でさらに詳細に記述される。
【００４２】
ＭＬＭＥ機能４８によって行われるチャンネルスキャン手順５２には、下記のような２つのチャンネルスキャンステップがある。
【００４３】
１．まず、全てのＬＲＰチャンネルをスキャンする。各ＬＲＰチャンネルに対して、ＭＬＭＥ機能は、まず全方向モードに転換し、次いで、スーパーフレーム持続期間より長い期間の間に反復的に無線周波数エネルギー検出測定を行う。この期間に獲得した最大エネルギー検出値の測定は、次のＬＲＰチャンネルに移動する前にＬＲＰピークエネルギー検出値として記録される。図６の例示プロセス６０に示されたように、エネルギー検出は、全方向エネルギー検出をエミュレートするために、他の方向（例、方向１，２，．．．，８、それぞれは４５°角に至る）に行われる。
【００４４】
２．ＨＲＰチャンネル内の３個の対応する全てのＬＲＰチャンネルが明示されたＬＲＰ干渉臨界値より小さいＬＲＰピークエネルギー検出値を有するＨＲＰチャンネルのみを選択的にスキャンする。ＭＬＭＥ機能は、ＨＲＰチャンネルをスキャンするために、ＬＲＰエミュレートされたチャンネルスキャンを活用する。これは、下記のようになされる。ＨＲＰチャンネルの開始周波数から開始して、ＭＬＭＥ機能は、各ＬＲＰ帯域（例、８０ＭＨｚの周波数帯域）に対して全方向モードで無線周波数エネルギー検出を反復的に行う。全ての８０ＭＨｚの周波数帯域から獲得した最大エネルギー検出値の測定は、ＨＲＰピークエネルギー検出値として記録される。
【００４５】
それぞれのＨＲＰ周波数帯域は、複数のＬＲＰ周波数帯域に分割され、それぞれのＬＲＰ帯域は８０ＭＨｚである。ＨＲＰチャンネルをスキャンするステップは、それぞれのＬＲＰ周波数帯域をスキャンすることによって行われる。
【００４６】
チャンネルスキャン手順で二つのスキャンステップを終了した後、ＭＬＭＥ機能は、スキャンプロセスによってＤＭＥ機能にチャンネル評価のようなチャンネルスキャン結果を提供する。ＤＭＥ機能は、全てのスキャンされたＨＲＰチャンネルのうち、最小のＨＲＰピークエネルギー検出値を有するＨＲＰチャンネルを選択するためにチャンネル評価結果を利用し、前記最小ＨＲＰピークエネルギー検出値は、ＨＲＰ干渉臨界値より小さい。次いで、ＤＭＥ機能は、選択されたＨＲＰチャンネル内で、ｎＬＲＰチャンネルのうち最小ＬＲＰピークエネルギー検出値を有するＬＲＰチャンネルを選択する。
【００４７】
例えば、エネルギー検出臨界値が−５０ｄＢであり、ＨＲＰ内の全てのｎＬＲＰが−５０ｄＢ以下と仮定すれば、以後に、デバイスは、ＨＲＰ内の全ての８０ＭＨｚの周波数帯域をスキャンする。全ての８０ＭＨｚの周波数帯域に対するエネルギー検出結果が−５０ｄＢ以下である場合、以後にスキャンされたＨＲＰは、新たなＷｉＨＤネットワークを開始するために選択される。
【００４８】
ＤＭＥ機能がＬＲＰチャンネルを選択したならば、ＤＭＥ機能の通信プロセスは、選択されたＬＲＰチャンネルのインデックス（例、ＣｈａｎｎｅｌＩｎｄｅｘ）を有するＭＬＭＥ−ＳＴＡＲＴ.ｒｅｑｕｅｓｔプリミティブメッセージを送信する。図７は、本発明によるメッセージのフロー及びＷＶＡＮ開始動作７０の例を示すが、ＭＬＭＥ−ＳＴＡＲＴ.ｒｅｑｕｅｓｔメッセージを通じて、調整子１２は、選択されたＬＲＰチャンネルにＷＶＡＮの開始を指示する。ＷＶＡＮ初期化モジュールを具現する通信モジュール７２を利用して、調整子ＭＬＭＥ機能４８は、存在するＷＶＡＮと関係設定せず、選択されたＬＲＰチャンネルに自身のＷＶＡＮ開始を試みる。ＭＬＭＥ機能４８は、選択されたチャンネルが依然として空いているか否か（例、続けて可用であるか否か）を決定するために、リスニング期間（例、ｍＭｉｎＣｈａｎｎｅｌＳｃａｎ）の間に選択されたチャンネルをリスニングする。リスニング過程は、エネルギー検出を伴う。リスニング期間の終了時点に、ＭＬＭＥ機能が前記選択されたチャンネルが空いていると判断した場合、ＭＬＭＥ機能は、毎スーパーフレーム持続期間（図３Ａ）ごとにＭＡＣ及びＰＨＹ階層を通じてビーコンをブロードキャストすることによって、チャンネル上に通信を開始する。
【００４９】
しかし、前記選択されたチャンネルがそれ以上空いていないと判断した場合、ＭＬＭＥ機能は、ＷＶＡＮ開始失敗を表す結果コード（ＲｅｓｕｌｔＣｏｄｅ）を有するＭＬＭＥ−ＳＴＡＲＴ.ｃｏｎｆｉｒｍを送信する。そのような場合に、ＤＭＥ機能は、他のチャンネルにＷＶＡＮを開始するために、他のチャンネルインデックス（ＣｈａｎｎｅｌＩｎｄｅｘ）を有する他のＭＬＭＥ−ＳＴＡＲＴ.ｒｅｑｕｅｓｔを送信でき、そうでなければ、通常のデバイスとして関係設定する（例、デバイスは、新たなネットワークを開始せず、その代りにビーコンを周期的に送信する調整子と関係設定されてビーコン受信を試みる）。
【００５０】
ＷＶＡＮが成功的に開始されたとき、調整子１２は、設定されたＷＶＡＮメンバーとなる他のデバイス１４とデータを交換する目的で、さらなるＤＥＶＩＤを自身に割り当てる。ＤＥＶＩＤは、デバイス当たり唯一のＩＤである。関係設定手順は、デバイスが設定されたネットワークのメンバーとなるのに利用される。ＷＶＡＮが選択されたＬＲチャンネルとして開始されれば、本発明によって、調整子は、スーパーフレーム構造を利用して（図３Ｂ）、ＨＲチャンネルをさらに設定し、周期的にオーディオ／ビジュアル（Ａｕｄｉｏ／Ｖｉｓｕａｌ：Ａ／Ｖ）情報及びデータ伝送のためのチャンネルタイムを割り当てる。チャンネル接近制御は、ＨＲチャンネル及び選択されたＬＲチャンネルに対してスーパーフレーム構造を利用してなされる。
【００５１】
調整子１２がＷＶＡＮから自身を除去しようとし、他のデバイス１４が調整子の役割を受け継げない時、調整子は、自身のブロードキャストビーコン内にシャットダウン情報要素（Ｉｎｆｏｒｍａｔｉｏｎ  Ｅｌｅｍｅｎｔ：ＩＥ）を位置させてシャットダウンを知らせる。調整子は、シャットダウンの知らせがビーコンの知らせに対する規則によるか否かを確認する。
【図面の簡単な説明】
【００５２】
【図１】本発明の実施例によって、無線ステーションの間に非圧縮ＨＤビデオ伝送を具現する無線ネットワークの機能ブロック図である。
【図２】図１のＬＲ及びＨＲ無線通信チャンネルに適用される時の分割二重化スケジューリングのための例示タイミング図である。
【図３Ａ】本発明による例示スーパーフレーム構造を示す図である。
【図３Ｂ】本発明によるスーパーフレーム構造の例示詳細図である。
【図４】ＷＶＡＮに対するチャンネルを選択する例示管理個体を表す図である。
【図５】本発明によって、例示メッセージのフロー及びスキャン演算を示す図である。
【図６】本発明によって、チャンネルスキャンのために、他の方向にエネルギーを検出する例示を示す図である。
【図７】本発明によって、例示メッセージのフロー及びＷＶＡＮ開始演算を示す図である。
【図１】
2009538029.tif 000005
【図２】
2009538029.tif 000006
【図３Ａ】
2009538029.tif 000007
【図３Ｂ】
2009538029.tif 000008
【図４】
2009538029.tif 000009
【図５】
2009538029.tif 000010
【図６】
2009538029.tif 000011
【図７】
2009538029.tif 000012
【国際調査報告】
2009538029.tif 000013
2009538029.tif 000014